(57)【要約】      （修正有）【課題】介護者の負担を最小限にして、被介護者が車いすから降りて家庭内で容易に湯船に入浴することができる９０度回転式バスリフトを提供する。【解決手段】被介護者保持部と、該被介護者保持部を取り付ける支持部と、該被介護者保持部が、該支持部に対して、水平方向に対して、回転、かつ垂直方向の上下動を可能とする上下に移動する該被介護者保持部を移動させるための嵌合部と、を備えて９０度回転式バスリフトを構成する。【選択図】図１
0003179976.tif 000002
【実用新案登録請求の範囲】
【請求項１】
被介護者保持部と、
該被介護者保持部を取り付ける支持部と、
該被介護者保持部が、該支持部に対して、水平方向に対して、回転、かつ垂直方向の上下動を可能とする上下に移動する該被介護者保持部を移動させるための嵌合部と、を有することを特徴とする９０度回転式バスリフト。
【請求項２】
請求項１に記載の前記９０度回転式バスリフトにおいて、
前記被介護者保持部が椅子の形状を有することを特徴とする前記９０度回転式バスリフト。
【請求項３】
請求項１に記載の前記９０度回転式バスリフトにおいて、
前記被介護者支持部の支柱は、前記支柱の一端に嵌め込まれるＨ形状のローラー部位に前記被介護者保持部の荷重がかかることにより、多角の形状にできることを特徴とする前記９０度回転式バスリフト。
【請求項４】
請求項１に記載の前記９０度回転式バスリフトにおいて、
前記被介護者保持部の回転範囲が略９０度であること特徴とする前記９０度回転式バスリフト。
【請求項５】
請求項１に記載の前記９０度回転式バスリフトにおいて、
前記被介護者保持部の回転及び／または上下動が手動式であること特徴とする前記９０度回転式バスリフト。
【請求項６】
請求項１に記載の前記９０度回転式バスリフトにおいて、
前記被介護者保持部の回転及び／または上下動が電動式であること特徴とする前記９０度回転式バスリフト。
【考案の詳細な説明】
【技術分野】
【０００１】
本考案は、車椅子を使用する老人や身体障害者などの被介護者を、介護者が車椅子から降ろして入浴させる際に、円滑かつ特に大きな労力負担を要せずに入浴させることができる９０度回転式バスリフトに関する。
【背景技術】
【０００２】
老人や身体障害者など車椅子を利用する車椅子利用者にとって、車椅子は肢体の一部とも言えるほど生活に密着したものである。即ち、生活の中で移動するときは、常時、車いすを使用することが通常の状態であって、車椅子に乗った状態での生活行為について、介護をする者の負担が特に大きくなることは少ない。
【０００３】
しかしながら、車椅子利用者の入浴行為は、車椅子から離れる行為であるため介護者に大きな労力負担を迫り得るものである。そして、車椅子から離れることを前提とした現行の殆どの入浴行為においては、数々の問題を生じる。
【０００４】
即ち、車椅子利用者を入浴させるのに、車椅子から降ろして浴槽へと移動させるが、これを安全に行う必要がある。浴室は濡れていて足場が悪い中、被介護者の転倒の危険を軽減するには浴槽へと移動させる何かしらの支持具を要することとなるが、現行ではリフト式の支持具などが用いられている。しかし、リフト式の支持具では被介護者を一旦持ち上げる必要が生じて介護者の負担が大きなものとなっていた。そして、支持具自体が大掛かりなものとなるため、このような支持具は、十分な大きさの無い狭い浴室への導入するのに問題を生じていた。また、現在、家庭における入浴の介護用品は、腰掛け台、手すり、浴槽と流しの滑り止め等、浴槽の内側に設置されるものが多く、健常者と兼用する浴室に対しては適合しないものであった。
【０００５】
また、外部のサービス施設を利用するにしても入浴は日常的に行われるために、経済的な制約がある。該施設ではリフト浴槽・機械式浴槽がある程大掛かりなものとなっており、経済的負担を大きくする要因となっていた。
【先行技術文献】
【特許文献】
【０００６】
【特許文献１】特開平１１−１６９４２４
【考案の概要】
【考案が解決しようとする課題】
【０００７】
しかしながら、車いす利用者が、日常と全く同様な行為の延長として家庭で入浴することができれば、前述の諸問題はすべて解消される。即ち、車いすから降りて、湯船に入浴することでき、しかも、介護者の負担を最小限にして、家庭内で容易に湯船に入浴することができる装置を提供することが本考案の目的である。
【課題を解決するための手段】
【０００８】
請求項１に記載された考案は、９０度回転式バスリフトであって、
被介護者保持部と、
該被介護者保持部を取り付ける支持部と、
該被介護者保持部が、該支持部に対して、水平方向に対して、回転、かつ垂直方向の上下動を可能とする上下に移動する該被介護者保持部を移動させるための嵌合部と、を有することを特徴とする。
【０００９】
請求項２に記載された考案は、請求項１に記載の９０度回転式バスリフトに係り、前記被介護者保持部が椅子の形状を有することを特徴とする。
【００１０】
請求項３に記載された考案は、請求項１に記載の９０度回転式バスリフトに係り、前記被介護者支持部の支柱は、前記支柱の一端に嵌め込まれるＨ形状のローラー部位に前記被介護者保持部の荷重がかかることにより、多角の形状にできることを特徴とする。
【００１１】
請求項４に記載された考案は、請求項１に記載の９０度回転式バスリフトに係り、前記被介護者保持部の回転範囲が略９０度であること特徴とする。
【００１２】
請求項５に記載された考案は、請求項１に記載の９０度回転式バスリフトに係り、前記被介護者保持部の回転及び／又は上下動が手動式であること特徴とする。
【００１３】
請求項６に記載された考案は、請求項１に記載の９０度回転式バスリフトに係り、前記被介護者保持部の回転及び／又は上下動が電動式であること特徴とする。
【考案の効果】
【００１４】
車いす利用者である被介護者が、日常とほぼ同様な行為の延長として、家庭内で安全で容易に入浴することができれば、介護者・被介護者の相方にとって、生活の質も維持される場合がある。即ち、介護者の負担を最小限にして、被介護者が車いすから降りて、容易に湯船に入浴することができる安全性の高い９０度回転式バスリフトを提供する。
【００１５】
また、本考案の９０度回転式バスリフトは従来の浴槽の外側に設置するため、設置が容易にできる。
【図面の簡単な説明】
【００１６】
【図１】図１は本考案に係る９０度回転式バスリフトの使用時に、９０度回転式バスリフトの座面が湯船に浸かった状態を示す側面図である。
【図２】図２は本考案に係る９０度回転式バスリフトの使用時に、９０度回転式バスリフトの座面が湯船の上にある状態を示す側面図である。
【図３】図３は本考案の使用時であり、座面が湯船の上にある状態と、座面が湯船の上にある状態から略９０度回転した状態を示す平面図である。
【図４】図４は本考案に係る９０度回転式バスリフトの正面図である。
【図５】図５は本考案に係る９０度回転式バスリフトの嵌合部の拡大図である。
【図６】図６は本考案に係る９０度回転式バスリフトの嵌合部の拡大図である。
【図７】図７は本考案に係る９０度回転式バスリフトの使用している状態を示す概略斜視図である。
【考案を実施するための形態】
【００１７】
以下、本考案の実施例を図面を参照しながら説明する。
【実施例】
【００１８】
図１において、１００は本考案に係る９０度回転式バスリフトであり、１０１は本考案に係る９０度回転式バスリフトの浴槽であり、１０２は９０度回転式バスリフトの入浴時に被介護者が座る座席であり、１０３は入浴者（被介護者）であり、１０４は本考案に係る９０度回転式バスリフトの浴室の９０度回転式バスリフトの支柱であり、１０５は本考案に係る９０度回転式バスリフトを設置する浴室の壁であり、１０６は９０度回転式バスリフトの椅子の袖であり上下することが可能であり、１０７は本考案に係る90度回転式バスリフトの座席を上下するためのベアリングローラーであり、１０８は９０度回転式バスリフトのガイドローラーであり、１０９は９０度回転式バスリフトのスライド支持柱であり、１１０は９０度回転式バスリフトのワイヤーであり、１１１は９０度回転式バスリフトの滑車であり、１１２は９０度回転式バスリフトの滑車であり、１１３は９０度回転式バスリフトの滑車であり、１１４は９0度回転式バスリフトのベアリングローラー左右であり、１１５は９０度回転式バスリフトの回転軸ピンであり、１１６は９０度回転式バスリフトの柱であり、１１８は９０度回転式バスリフトの回転軸ピンであり、１１９は９０度回転式バスリフトの滑車である。１２０は９０度回転式バスリフトの椅子保持レバーであり、該椅子保持レバーは椅子ストッパー金具と一体であるため、該椅子保持レバーを閉めると同時に自動ロックができ、椅子を安定した状態で安全に使用することができる。１２１は９０度回転式バスリフトの振れ止め金具であり水平方向の振れを防止し、１２２は９０度回転式バスリフトの昇降時ガイドパイプであり、１２４は９０度回転式バスリフトの回転レバーであり、１２５は浴槽内の湯であり、１２７は９０度回転式バスリフトの椅子保持レバーであり、椅子保持レバー１２７は椅子保持レバー１２０と同様の機能を持っている。１２８は９０度回転式バスリフトの椅子全体であり、１３０は介護者である。椅子の座席１０２，椅子の袖１０６，椅子全体１２８は、一体であり、上に持ち上げることにより、簡単に本考案の９０度回転式バスリフト１００から取り外すことができる。
【００１９】
以下、本考案の一実施例を図１〜７に基づいて説明する。
【００２０】
図１に描かれた本考案に係る９０度回転式バスリフトは浴室の壁１０５と浴槽１０１との間に隙間がある場合には浴室の壁と浴槽１０１の間に設置し、又はユニットバスのように浴槽１０１との間に隙間がない場合には浴槽１０１の際に設置する。
【００２１】
ここで、介護者保持部とは、９０度回転式バスリフトの座席１０２，９０度回転式バスリフトの座席の袖１０６，椅子１２８と、を有する。また、介護者支持部とは、９０度回転式バスリフトの支柱１０４，９０度回転式バスリフトのスライドパイプ１０９，９０度回転式バスリフトのワイヤー１１０，９０度回転式バスリフトの滑車１１１，９０度回転式バスリフトの滑車１１２，９０度回転式バスリフトの柱１１６、９０度回転式バスリフトの揺れ止め金具１２１と、を有する。嵌合部とは、９０度回転式バスリフトのベアリングローラー１０７，９０度回転式バスリフトのガイドローラー１０８，９０度回転式バスリフトのベアリングローラー左右１１４，９０度回転式バスリフトの回転軸ピン１１５と、を有する。
【００２２】
日常的に車椅子を利用している被介護者を家庭内において入浴させることは、介護者にとって、負担の大きい仕事である。被介護者を車椅子から降ろして、バスリフトに移動させる事は、安全・容易に行い難い。被介護者を車椅子から一旦持ち上げての移動となるために、介護者と被介護者相方にとって、入浴は危険と困難を伴う作業である。
【００２３】
図７に描かれるように、介護者が被介護者を90度回転転式バスリフト１００の座席１０２に被介護者に移動させる。この際、該９０度回転式バスリフトは水平方向に略９０度座席が回転できることによって、車椅子から座席への移動がしやすく、安全・容易に９０度回転式バスリフトの座席に座らせることができる。また、介護者側も座席と車椅子の移動時に、被介護者を支える動作の範囲を確保でき、無理な姿勢を取らずに安全に移動させることが可能となるため、介護の負担を軽減し得る。
【００２４】
次に、椅子の肘１０６を倒して固定をする。この場合、本実施例では椅子の肘１０６を倒して固定をしているが、他の方法で椅子の肘を固定させることも可能である。
【００２５】
次に、介護者が被介護者を該９０度回転式バスリフトの台座１０２に座らせた後には、被介護者の台座１０２が回転、上下に移動しないように該９０度回転式バスリフトのレバーを閉める。次に、９０度回転転式バスリフト１００の座席１０２を水平方向に略９０度回転させて、浴槽１０１の上に持ってくる。
【００２６】
次に、被介護者の座っている90度回転転式バスリフト１００の座席１０２を下に移動させ、湯１２５の中に浸ける。この際に、本実施例では上下動はワイヤー方式で行なっているが、他の方法を用いても構わない。９０度回転転式バスリフト１００の座席１０２を下に下げて、湯１２５の中に浸ける様子を示すのが、図３の平面図である。図３に示すように、座席１０２は、図３に示す椅子保持レバー１２７によって固定され、また振れ止め金具１２１によっても固定されている。また、椅子１２８は、椅子保持レバーと一体となっている椅子ストッパーによって、椅子保持レバー１２７を閉めると自動ロックで固定される構造である。
【００２７】
次に、該９０度回転式バスリフトの座席１０２が浴槽１０１内の湯１２５に入ったら、浴槽１０１の中で被介護者及び／または介護者は適当な時間、湯１２５の中で、体を洗ったり、リラックスする。そして、適当な時間が経過した後に、介護者が被介護者を該９０度回転式バスリフトの座席１０２に座らせて、椅子の肘を下げて固定する。次に、図２に示されるように、浴槽１０１内の湯１２５から該９０度回転式バスリフトの座席１０２を上に引き上げる。
【００２８】
次に、図３に示すように椅子の座席１０２を水平方向に略９０度回転させ、椅子保持レバーによって椅子１２８は自動的に固定される。次に図7に示されるように、介護者１３０が被介護者１０３を椅子１２８からおろして、車椅子に移動させる。この際、椅子が略９０度回転できることによって、介護者１３０は被介護者１０３を安全・容易に車椅子に移動させることができる。
【００２９】
図５及び図６は、図１の９０度回転式バスリフトの嵌合部の平面図である。
【００３０】
なお、椅子１２８を上下・水平方向左右に回転・移動させる仕組みには、本考案にとって特に特徴はなく、公知であるので、説明は省略する。また、図５，６は本考案の装置の嵌合部を示しているが、本考案にとって特に特徴はなく、公知であるので、説明は省略する。また図１〜７は本考案の実施の形態の例示であって、これに限るものではない。
【産業上の利用可能性】
【００３１】
介護者の負担を最小限にして、車いす利用者である被介護者が、日常とほぼ同様な行為の延長として、家庭内において、容易・安全に車いすから降りて、湯船に入浴することができるとともに、浴室内に、容易に設置することが可能である、安全性の高い９０度回転式バスリフトを提供でき、本装置の生産の需要を拡大させることにより、産業の発達に寄与し得る。
【符号の説明】
【００３２】
100    90度回転式バスリフト
101    浴槽
102    90度回転式バスリフトの座席
103    入浴者（被介護者）
104    90度回転式バスリフトの支柱
105    浴室の壁
106    90度回転式バスリフトの座席の袖
107    90度回転式バスリフトのベアリングローラー
108    90度回転式バスリフトのガイドローラー
109    90度回転式バスリフトのスライドパイプ
110    90度回転式バスリフトのワイヤー
111    90度回転式バスリフトの滑車
112    90度回転式バスリフトの滑車
113    90度回転式バスリフトの滑車
114    90度回転式バスリフトのベアリングローラー左右
115    90度回転式バスリフトの回転軸ピン
116    90度回転式バスリフトの柱
118    90度回転式バスリフトのピン
119    90度回転式バスリフトの滑車
120    90度回転式バスリフトの椅子保持レバー
121    90度回転式バスリフトの振れ止め金具
122    90度回転式バスリフトの昇降時ガイドパイプ
124    回転レバー
125    湯
127    椅子保持レバー
128    椅子
130    介護者
【図１】
0003179976.tif 000003
【図２】
0003179976.tif 000004
【図３】
0003179976.tif 000005
【図４】
0003179976.tif 000006
【図５】
0003179976.tif 000007
【図６】
0003179976.tif 000008
【図７】
0003179976.tif 000009
【手続補正書】
【提出日】平成24年9月25日(2012.9.25)
【手続補正１】
【補正対象書類名】実用新案登録請求の範囲
【補正対象項目名】全文
【補正方法】変更
【補正の内容】
【実用新案登録請求の範囲】
【請求項１】
被介護者保持部と、
該被介護者保持部を取り付ける支持部と、
該被介護者保持部と該支持部の一端とを嵌合する嵌合部と、を有することを特徴とする９０度回転式バスリフトであって、
該嵌合部は、該被介護者保持部が、該支持部に対して、水平方向に回転、かつ垂直方向に上下移動させる事を可能とする構造を有する、水平・垂直方向嵌合部を有し、
該支持部は、柱状の支柱部位を有し、かつ、該被介護者保持部の、該支持部に対する垂直方向の位置を可変に支持する構造を有する垂直方向位置可変部を有することを特徴とする９０度回転式バスリフト。
【請求項２】
請求項１に記載の前記９０度回転式バスリフトにおいて、
前記被介護者保持部が椅子の形状を有することを特徴とする前記９０度回転式バスリフト。
【請求項３】
請求項１に記載の前記９０度回転式バスリフトにおいて、
前記支持部の前記支柱部位は、断面形状がＨ形状であり、
前記嵌合部は、ローラー部位を有し、
該支柱部位のＨ形状の窪みに該ローラー部位が嵌め込まれる構造を有することを特徴とする前記９０度回転式バスリフト。
【請求項４】
請求項１に記載の前記９０度回転式バスリフトにおいて、
前記被介護者保持部の回転範囲が略９０度であること特徴とする前記９０度回転式バスリフト。
【請求項５】
請求項１に記載の前記９０度回転式バスリフトにおいて、
前記支持部は、
ワイヤーを有し、
前記被介護者保持部の、前記支持部に対する垂直方向の位置を変更させる該ワイヤーの巻き取りを手動で行う回転レバーを有することを特徴とする前記９０度回転式バスリフト。
【請求項６】
請求項１に記載の前記９０度回転式バスリフトにおいて、
前記支持部は、
ワイヤーを有し、
前記被介護者保持部の、前記支持部に対する垂直方向の位置を変更させる該ワイヤーの巻き取りを電動で行う電動部を有することを特徴とする前記９０度回転式バスリフト。